(57)【要約】【課題】  灯具の昇降に伴う照明効果の変化が大きい照明器具を提供する。【解決手段】  電気的な光源ＬＴ１を保持して少なくとも１本のワイヤー２により天井ＣＥから吊下げ支持された灯具１と、各ワイヤー２の巻取りや繰出しにより灯具１を昇降させるリール装置４とを備える。図１（ａ）に示すように灯具１が可動範囲の下限位置にあるときには、光源ＬＴ１の光が照射される照射方向Ａ１が上方向とされ、従って光源ＬＴ１の光が天井ＣＥで反射された反射光で床面等が照明されるという間接照明の効果が得られる。また、図１（ｂ）に示すように灯具１が可動範囲の上限位置にあるときには、灯具１の向きが上下反転して照射方向Ａ１が下方向とされ、従って光源ＬＴ１から出射した直射光で床面等が照明されるという直接照明の効果が得られる。【選択図】図１
2011192398.tif 000002
【特許請求の範囲】
【請求項１】
電気的な光源を点灯させる点灯装置と、
前記光源が固定されるとともに少なくとも１本のワイヤーにより天井から吊下げ支持された灯具と、
前記各ワイヤーの巻取りにより前記灯具を上昇させ前記各ワイヤーの繰出しにより前記灯具を下降させるリール装置と、
前記光源の光が照射される照射方向を、前記灯具の昇降に伴って変更する配光変更手段とを備えることを特徴とする照明器具。
【請求項２】
前記配光変更手段は、少なくとも前記灯具が可動範囲の上限位置にある状態では前記照射方向を下方向とし、少なくとも前記灯具が可動範囲の下限位置にある状態では前記照射方向を上方向とすることを特徴とする請求項１記載の照明器具。
【請求項３】
前記配光変更手段は、少なくとも前記灯具が可動範囲の下限位置にある状態では前記照射方向を下方向とし、少なくとも前記灯具が可動範囲の上限位置にある状態では前記照射方向を上方向とすることを特徴とする請求項１記載の照明器具。
【請求項４】
下方に光を照射する補助光源と、
少なくとも前記照射方向が上方向とされている期間に補助光源を点灯させる補助光源点灯装置とを備えることを特徴とする請求項２記載の照明器具。
【請求項５】
前記点灯装置は、少なくとも前記灯具が可動範囲の上限位置にある状態では前記光源を消灯させることを特徴とする請求項３記載の照明器具。
【発明の詳細な説明】
【技術分野】
【０００１】
本発明は、照明器具に関するものである。
【背景技術】
【０００２】
従来から、光源を保持する灯具がワイヤーにより天井から吊下げ支持された、いわゆるペンダント型の照明器具において、例えば天井に固定されたリール装置で上記のワイヤーの巻取りや繰出しを行うことで灯具を昇降可能なものが提供されている（例えば、特許文献１参照）。
【０００３】
上記のような照明器具によれば、例えば灯具が光源の光を下方に照射するものである場合、灯具を天井付近まで上昇させた状態では室内の広範囲で均等な照度を得ることができ、逆に灯具を下降させた状態では灯具の直下の机上面等の狭い範囲に高い照度を得ることができる。
【先行技術文献】
【特許文献】
【０００４】
【特許文献１】特開２０００−１１７４３号公報
【発明の概要】
【発明が解決しようとする課題】
【０００５】
しかしながら、従来の照明器具では、灯具の昇降に伴う照明効果の変化が乏しかった。
【０００６】
本発明は、上記事由に鑑みて為されたものであり、その目的は、灯具の昇降に伴う照明効果の変化が大きい照明器具を提供することにある。
【課題を解決するための手段】
【０００７】
第１の発明は、電気的な光源を点灯させる点灯装置と、前記光源が固定されるとともに少なくとも１本のワイヤーにより天井から吊下げ支持された灯具と、前記各ワイヤーの巻取りにより前記灯具を上昇させ前記各ワイヤーの繰出しにより前記灯具を下降させるリール装置と、前記光源の光が照射される照射方向を、前記灯具の昇降に伴って変更する配光変更手段とを備えることを特徴とする。
【０００８】
第２の発明は、第１の発明において、前記配光変更手段は、少なくとも前記灯具が可動範囲の上限位置にある状態では前記照射方向を下方向とし、少なくとも前記灯具が可動範囲の下限位置にある状態では前記照射方向を上方向とすることを特徴とする。
【０００９】
第３の発明は、第１の発明において、前記配光変更手段は、少なくとも前記灯具が可動範囲の下限位置にある状態では前記照射方向を下方向とし、少なくとも前記灯具が可動範囲の上限位置にある状態では前記照射方向を上方向とすることを特徴とする。
【００１０】
第４の発明は、第２の発明において、下方に光を照射する補助光源と、少なくとも前記照射方向が上方向とされている期間に補助光源を点灯させる補助光源点灯装置とを備えることを特徴とする。
【００１１】
第５の発明は、第３の発明において、前記点灯装置は、少なくとも前記灯具が可動範囲の上限位置にある状態では前記光源を消灯させることを特徴とする。
【発明の効果】
【００１２】
本発明によれば、光源の光が照射される照射方向を灯具の昇降に伴って変更する配光変更手段を備えるので、照射方向が変化しない場合に比べて灯具の昇降に伴う照明効果の変化が大きくなる。
【図面の簡単な説明】
【００１３】
【図１】（ａ）（ｂ）はそれぞれ本発明の実施形態を示す説明図であり、（ａ）は灯具が下限位置にある状態を示し、（ｂ）は灯具が上限位置にある状態を示す。
【図２】（ａ）〜（ｄ）はそれぞれ同上の動作を示す説明図であり、（ａ）は灯具が下限位置にある状態を示し、（ｂ）は反転用凸部が反転用穴に導入された状態を示し、（ｃ）は（ｂ）の状態よりも各ワイヤーがそれぞれ巻き取られた状態を示し、（ｄ）は灯具が上限位置にある状態を示す。
【図３】同上の変更例を示す説明図である。
【図４】（ａ）（ｂ）はそれぞれ同上の変更例を示す説明図であり、（ａ）は灯具が下限位置にある状態を示し、（ｂ）は灯具が上限位置にある状態を示す。
【発明を実施するための形態】
【００１４】
以下、本発明を実施するための最良の形態について、図面を参照しながら説明する。
【００１５】
本実施形態は、図１（ａ）（ｂ）に示すように、電気的な光源ＬＴ１が固定されるとともに少なくとも１本のワイヤー２により天井ＣＥから吊下げ支持された灯具１と、灯具１の真上において天井ＣＥに埋込配設されたボックス３と、ボックス３に対して固定（すなわちボックス３を介して天井ＣＥに対して固定）され、各ワイヤー２の巻取りや繰出しにより灯具１を天井ＣＥに対して上下に変位（すなわち昇降）させるリール装置４とを備える。
【００１６】
光源ＬＴ１としては例えば発光ダイオードを用いることができる。
【００１７】
また、本実施形態は、例えば商用電源のような外部の電源（図示せず）から入力された電力を適宜変換して光源ＬＴ１に供給することにより光源ＬＴ１を点灯させる点灯装置（図示せず）を備える。例えば、光源ＬＴ１として発光ダイオードが用いられる場合には、点灯装置としては周知の直流電源回路を用いることができる。点灯装置は灯具１に保持されていてもよいし、ボックス３に保持されていてもよい。点灯装置が灯具１に保持される場合には点灯装置への給電用の電線（図示せず）が天井ＣＥから引き出されて灯具１に接続され、点灯装置がボックス３に保持される場合には点灯装置から光源ＬＴ１への給電用の電線（図示せず）が灯具１に接続される。但し、点灯装置が電池（図示せず）を電源とする場合であって、その電池と点灯装置とが共に灯具１に保持される場合には、上記のような電線は不要となる。
【００１８】
リール装置４は、各ワイヤー２がそれぞれ巻き取られるリール（図示せず）を備える。すなわち、上記のリールが各ワイヤー２をそれぞれ巻取る方向（以下、「巻取り方向」と呼ぶ。）に回転すれば灯具１が上昇し、逆に、上記のリールが各ワイヤー２をそれぞれ繰出す方向（以下、「繰出し方向」と呼ぶ。）に回転すれば灯具１が下降する。より具体的には、リール装置４としては周知の巻取り装置を用いることができる。この場合、リール装置４は、リールに対し巻取り方向の回転力を付与するぜんまいばね（図示せず）と、リールが繰出し方向の力を受けて回転する度に、巻取り方向へのリールの回転を禁止するラッチ状態とリールの回転を禁止しない解除状態との一方に交互に切り替わるラッチ機構（図示せず）とを有する。すなわち、ラッチ機構がラッチ状態であるときに灯具１が下方に引かれるとラッチ機構が解除状態となってぜんまいばねのばね力によるワイヤー２の巻取りが開始され、この巻取り中に灯具１が再度下方に引かれるとラッチ機構が再度ラッチ状態となることでワイヤー２の巻取りが停止される。または、リール装置４は上記のリールを駆動する電動機（図示せず）を有するものであってもよい。いずれの場合にもリール装置４は周知技術で実現可能であるので、詳細な図示並びに説明は省略する。
【００１９】
また、ボックス３は、灯具１を収納可能な収納凹部３０が下面に開口したものであって、灯具１は可動範囲の上限位置において図１（ｂ）に示すように収納凹部３０に収納される。
【００２０】
灯具１は、不透明な材料からなり一面上に光源ＬＴ１が固定されたものである。従って、光源ＬＴ１からの直射光が照射される立体角Ｓｒ１は、灯具１の上記一面が向けられた方向（以下、「照射方向」と呼ぶ。）Ａ１を中心とする。つまり、光源ＬＴ１からの直射光が照射される範囲の形状は、例えば、光源ＬＴ１を頂点とし中心軸を照射方向Ａ１に平行とした円錐形状となる。より具体的には、灯具１は、例えば、光源ＬＴ１の光を乱反射または全反射させる塗装またはメッキが内面に施された凹部を有し、この凹部の内底面に光源ＬＴ１が固定されたものである。また、灯具１は、比較的に熱伝導率が高い材料からなり光源ＬＴ１に熱的に接続された放熱板（図示せず）を備えていてもよい。さらに、リール装置４として上記の巻取り装置が用いられる場合、灯具１を引き下げる操作力を受けるためのフック等（図示せず）が灯具１に設けられることが望ましい。
【００２１】
ここで、本実施形態では、灯具１の昇降に伴って灯具１の向きが上下反転する。具体的には、図１（ａ）に示すように灯具１が可動範囲の下限位置にあるときには、照射方向Ａ１が上方向とされ、従って光源ＬＴ１の光が天井ＣＥで反射された反射光で床面（図示せず）や机上面（図示せず）が照明されるという間接照明の効果が得られる。また、図１（ｂ）に示すように灯具１が可動範囲の上限位置にあるときには、照射方向Ａ１が下方向とされ、従って光源ＬＴ１から出射した直射光で床面や机上面が照明されるという直接照明の効果が得られる。
【００２２】
上記構成によれば、灯具１の昇降に伴って照射方向Ａ１が反転するので、照射方向Ａ１を変化させない場合に比べ、灯具１の昇降に伴う照明効果の変化が大きくなる。
【００２３】
以下、灯具１の昇降に伴って灯具１の向きを上下反転させる配光変更手段の具体例について、図２（ａ）〜（ｄ）を用いて説明する。まず、灯具１は、それぞれ図２（ａ）〜（ｄ）の紙面に直交する方向（以下、「前後方向」と呼ぶ。）での両端の接続点１１においてそれぞれ１本ずつのワイヤー２に対して連結され、上記の接続点１１同士を結ぶ線を回転軸としてワイヤー２に対して少なくとも１８０°回転可能とされている。以下の説明では、上下左右は図２を基準とする。すなわち、上記の回転軸と上下方向とに直交する方向を左右方向と呼ぶ。
【００２４】
ここで、灯具１がボックス３に当接しない程度に充分に下方に下降した状態（以下、「下降状態」と呼ぶ。）では、灯具１は重心を上記の回転軸の真下に位置させた姿勢で安定する。つまり、上記の接続点１１が灯具１の重心よりも照射方向Ａ１側に位置していれば、下降状態での灯具１は照射方向Ａ１を上方に向けた姿勢で安定する。
【００２５】
また、ボックス３の収納凹部３０の前後少なくとも一方の内面の下端部において、下降状態での接続点１１よりも左側の位置には、前後方向に直交する断面での断面形状が円形状である反転用凸部３１が突設されている。
【００２６】
さらに、灯具１には、下降状態では反転用凸部３１の下側となるような位置で上向きに開口するとともに下端部が右方に曲がったＬ字形状の反転用穴１２が設けられている。
【００２７】
すなわち、図２（ａ）に示すような下降状態から各ワイヤー２がそれぞれ巻き取られることで灯具１が上昇すると、やがて図２（ｂ）に示すようにボックス３の反転用凸部３１が灯具１の反転用穴１２に導入される。そして、反転用凸部３１が反転用穴１２の下端の内面に当接した状態でさらに各ワイヤー２がそれぞれ巻き取られると、反転用凸部３１が接続点１１よりも左側であることにより、図２（ｃ）に示すように灯具１は反転用凸部３１を軸として反時計回りに回転し、これに伴って反転用凸部３１は反転用穴１２の先端部まで移動する。さらに各ワイヤー２がそれぞれ巻き取られると、図２（ｄ）に示すように灯具１は下降状態から向きを上下反転させた状態（以下、「上昇状態」と呼ぶ。）となって上限位置に達する。上昇状態では、反転用凸部３１は灯具１の重心よりも左側に位置する。
【００２８】
上記とは逆に、図２（ｄ）に示す上昇状態から各ワイヤー２がそれぞれ繰り出されると、反転用凸部３１が灯具１の重心よりも左側に位置していることにより、灯具１は反転用凸部３１を軸として時計回りに回転する。このとき充分に勢いがつけられていれば、図２（ｂ）に示すように反転用凸部３１は反転用穴１２の開口付近にまで達し、さらに各ワイヤー２がそれぞれ繰り出されることで反転用凸部３１は反転用穴１２から上方に出て図２（ａ）に示すように灯具１は下降状態となる。
【００２９】
つまり、ボックス３が、灯具１の昇降に伴って照射方向Ａ１を変更する配光変更手段を構成している。
【００３０】
ここで、上記のように上昇状態から下降状態への移行時には、灯具１にある程度勢いをつけて回転させる必要があるので、灯具１の過剰な回転を防ぐために、ボックス３において収納凹部３０の内面には、灯具１の左端部に上方から当接することで上記のような時計回り方向の過剰な回転を阻止する凸部３２が設けられている。
【００３１】
なお、上記のような反転用凸部３１や反転用穴１２を設ける代わりに、上昇状態と下降状態との相互の移行時に灯具１の左端部が凸部３２に当たって上下方向の運動量が回転運動量に変換されることで灯具１の向きの上下反転がなされる構成としてもよい。
【００３２】
さらに、図３に示すように、下方向を含む所定の立体角Ｓｒ２に光を照射する補助光源ＬＴ２と、少なくとも照射方向Ａ１が上方向とされている期間に補助光源ＬＴ２を点灯させる補助光源点灯装置（図示せず）とを設けてもよい。図３の例では、補助光源ＬＴ２は、ボックス３の近傍において天井ＣＥに埋込配設された補助灯具５に保持されている。すなわち、照射方向Ａ１が上方向とされている期間には、光源ＬＴ１により環境照明（アンビエント照明）を得るとともに、補助光源ＬＴ２によりタスク照明を得ることができる。補助光源ＬＴ２としては光源ＬＴ１と同種の電気的光源を用いてもよいし、例えば光源ＬＴ１として発光ダイオードを用いて補助光源ＬＴ２として蛍光灯を用いるといったように光源ＬＴ１と補助光源ＬＴ２とで別種の電気的光源を用いてもよい。上記のような補助光源ＬＴ２及び補助光源点灯装置は、光源ＬＴ１及び点灯装置と同様に周知技術で実現可能であるので詳細な図示並びに説明は省略する。
【００３３】
また、灯具１において照射方向Ａ１を上記とは逆にすることで、図４（ａ）に示すように灯具１が可動範囲の下限位置にあるときに照射方向Ａ１を下方向として直接照明の効果を得る一方、図４（ｂ）に示すように灯具１が可動範囲の上限位置である収納凹部３０内にあるときに照射方向Ａ１を上方向してもよい。この場合であっても、灯具１の昇降に伴って照射方向Ａ１の反転により照明効果が大きく変化する。また、上記の場合においては、灯具１が可動範囲の上限位置にある状態では下方から見て光源ＬＴ１が灯具１に覆われるから、図２（ａ）（ｂ）の例に比べ、可動範囲の上限位置にある灯具１を目立ちにくくすることができる。さらに、上記の場合において、灯具１が可動範囲の上限位置にある状態では点灯装置が光源ＬＴ１を消灯させるようにしてもよい。
【符号の説明】
【００３４】
１  灯具
２  ワイヤー
３  ボックス（配光変更手段）
４  リール装置
ＣＥ  天井
ＬＴ１  光源
ＬＴ２  補助光源
【図１】
2011192398.tif 000003
【図２】
2011192398.tif 000004
【図３】
2011192398.tif 000005
【図４】
2011192398.tif 000006